(57)【要約】      （修正有）【課題】本発明は、道路、河川、公園、沼等の法面環境植栽コンクリートブロックのジョイントフックを製造脱型、施工時の吊手に使用出来るものとし、このフックを利用して引っ張り外圧が加わっても容易に取れない強靭な空積み連結方法の提供を課題とする。【解決手段】ブロックの本体１の４隅端部又は１／４を切欠部２とし、他のブロック本体１の切欠部２と組み合わせて貫通開口部１１を構築出来るブロックとし、ここより４結の場合は左右に対設して平面Ｕ字状フック鉄筋を露出させて組み合わせ平面８の字状のリンク孔６を構築させ両端部を折り曲げた重合螺旋金具８を縦に回転させながら挿入し、施工が終わったらこの貫通開口部１１に現地土又は植栽土９を入れ草花１０を繁茂出来る様に構築してなる空積み環境ブロックの連結方法。【選択図】  図１
2004169499.tif 000002
【特許請求の範囲】
【請求項１】
正方形又は矩形ブロックの４隅端部を切欠き他のブロックと組み合わせて貫通開口部を構築出来るブロックとし、ここより延長線上反対に寄せて平面Ｕ字状としたフック鉄筋を露出させブロック施工後隣接ブロック２個のＵ字状のフック鉄筋が重なり８の字状のリンク孔を構成させ、ここに両端部を逆に折り曲げた重合螺旋連結金具を挿通してブロック４個を連結後にこの貫通開口部に現地土を入れる様にしてなる４結空積み環境ブロックの連結方法。
【請求項２】
長方形ブロックの延長方向両側面の１／４とブロックの両端４箇所に他のブロックと組み合わせて貫通開口部を構築出来るブロックとし、ここより平面Ｕ字状にフック鉄筋を露出させ施工時ここに両端部を逆に折り曲げた重合螺旋金具を取り付け、その後この貫通開口部に現地土を充填してなる２結空積み環境ブロックの連結方法。
【発明の詳細な説明】
【０００１】
【産業上の利用分野】
本発明は、道路、河川、公園、沼等の法面環境植栽コンクリートブロックのフックを製造脱型、施工時の吊手に使用出来るものとし、このフックを利用して引っ張り外圧が加わっても容易に取れない強靭な連結方法の提供に関するものである。
【０００２】
【従来の技術】
これまでのコンクリートブロックの連結方法には、連結部を最後にコンクリートかモルタルを充填する製品と方法では、実用新案公告昭５２−４８５６１号、実用新案公告昭４５−２５９４６号、特許公告平４−６９６９７号等が有り、
空積み用製品と連結方法には、特許公開  昭５３−６７２３０号、特許公開  平６−２６０２１号、特許公開平７−２５９８３１号やＵ字フックをシャックルやチエンで結束する製品と方法があった。
【０００３】
しかし、これらの製品と方法には次の様な課題と欠点が有った。
【０００４】
実用新案公告昭５２−４８５６１号製品と連結方法では、質量の無い練り積み連結としては、作業も容易であるが従来のシャックルかチエンあるいはＵ字ボルトの連結方法だったのでブロックの質量の割には連結部のコスト高であった。
【０００５】
実用新案公告昭４５−２５９４６号については、２結方法より考えられない課題とこれも連結するための金具がシャクルかチエンあるいはＵ字ボルトのためにコスト高の欠点があった。
【０００６】
特許公告平４−６９６９７号の製品と金具ではコストも安価で作業も容易であるが、空積みでは引っ張り応力が大きくと重合螺旋が延びてしまう欠点が有り、
製品より露出されるフックが縦Ｕ字状に成っており、空積みでこの貫通開口部に樹木が繁茂した場合ブロックの根上現象の危険も有った。
【０００７】
又、特許公開昭５３−６７２３０号、特許公開平６−２６０２１号、特許公開平７−２５９８３１号製品と方法には、連結金具としてのシャックルやチエンあるいはＵ字ボルトにコスト高の欠点があった。
【０００８】
そこで、この出願発明者達は従来の製品の製造出荷の実績から課題の研究を行いつつ空積みとしての引っ張り試験をも実施しこの出願発明を完成した。
【０００９】
【発明が解決しようとする課題】
▲１▼  本発明製品は、徹底的コスト低減を課題とする。
【００１０】
▲２▼  そのために、製造時に型枠より脱型する時の吊り手、ストック、小運搬、施工時もこのＵ字フックを利用出来る課題とする。
【００１１】
▲３▼  ジョイント連結部にコンクリート又はモルタルを充填し固定強固にしなくとも、引っ張り応力に対し強靭として構築出来る課題とする。
【００１２】
▲４▼  ４結ジョイント結束ばかりでなく、２〜３結方法も容易である課題とする。
【００１３】
【考案が解決しようとする手段】
この出願発明は、ブロックの４結製品と方法では、ブロックの４隅を欠落としブロックに対角線を引いたとき一方の平面Ｕ字状のフックの露出は左側に寄せ、対設されるフックは右側に寄せて他の２個のフックも同様に反対に寄せてあつた平面Ｕ字状のフックとして露出させる。
２結の場合は、製品の長さ１／４の位置の側面に貫通開口部を設けここより平面Ｕ字状のフックを露出させる手段とし、製品の施工が終わったら両端を９０°かそれ以上に逆方向に折り曲げた螺旋状重合金具として回転させながら施工し、ここに現地土か植栽土を入れてなる手段とする。
【００１４】
【発明の実施の形態】
▲１▼    この発明は、１ｍ２当たり通常は１．３〜１．５箇所も使用するのでコストが安価である事が望ましい。
【００１５】
▲３▼  空積みが主で練り積みにも使用出来る事が望ましい。
【００１６】
▲４▼  空積みでも引っ張り応力に対して強靭である事がの望ましく、施工終了後貫通開口部に現地土あるいは植栽土を入れ、ここより草花の繁茂される事が望ましく、加えて年月が経過してこの貫通開口部に樹木が繁茂してもブロックの根上現象が起こらぬ事が望ましい。
【００１７】
▲５▼  フックは、製品製造時の脱型、小運搬、施工時の吊手に使用出来が望ましい。
【００１８】
【実施例】
つぎに、この出願発明を実施例により説明するが、この出願発明は実施例に限定されるものではない。
図１はこの出願発明の４結製品と連結方法を示す施工概要平面図と平面Ｕ字フックの露出方法を示す概要平面図と端部を折り曲げた螺旋状重合金具を示した要部拡大図であり、図２は２結の概要を示す施工平面図と重合螺旋連結金具の平面図であり、図３は２結の要部断面図と重合螺旋連結金具の側面図であり、第４図は２結実施例製品の施工概要平面図であり、図５は図４の要部断面概要図と重合螺旋連結金具の平面図と側面図である。
【００１９】
Ａ、Ａは対角線を、１はブロック本体を、２は切欠部（組み合わせて貫通開孔部構築）を、３−１は平面Ｕ字状右に寄せフックを、３−２は平面Ｕ字状左に寄せフックを、３−３は平面Ｕ字状２結フックを、４は空積み輪郭隙間を、５環境ブロックとしての凹凸化粧面を、６は平面８の字状のリンク孔を、７は９０°以上の折り曲げ部を、８は重合螺旋連結金具を、９は現地土又は植栽土を、１０は草花を、１１は貫通開口部をそれぞれ示す。
【００２０】
請求項１を図１で示すと、
【００２１】
正方形又は矩形ブロックの本体１の４隅端部を切欠部２とし、他のブロックの本体１の切欠部２と組み合わせて貫通開口部１１を構築出来るブロックとし、ここより切欠部２と対設の切欠部２の中央に対角線Ａ、Ａを引いた場合に一方は平面Ｕ字状右に寄せたフック鉄筋３−１として設けて露出させ、対設は平面Ｕ字状左に寄せたフック鉄筋３−２として設けて露出させ、他の２個のフック鉄筋も一方は平面Ｕ字状右に寄せたフック鉄筋３−１とし対設は平面Ｕ字状左に寄せたフック鉄筋３−２として設けて露出させるものであるが、製品質量が大きくフック鉄筋が９φ以上（９φ位いまでは容易に折り曲げが可能）を使用する時はフック鉄筋に段差を設けたものとする。
この状態のブロック本体１の切欠部２を他の３個のブロックと突き合わせて施工し、突き合わせて構築される貫通開口部１１に隣接ブロックの平面Ｕ字状右に寄せたフック鉄筋３−１と平面Ｕ字状左に寄せたフック鉄筋３−２とが重なり平面８の字状のリンク孔６が構築出来る様にし、ここに両端部を９０°かそれ以上に逆方向に折り曲げた重合螺旋連結金具８を縦に回転させながら挿入施工し、施工が終わったらこの貫通開口部１１に現地土又は植栽土９を入れ草花１０を繁茂出来る様に構築してなる４結の空積み環境ブロックの連結方法とする。
【００２２】
尚、３結の場合は図示してないが、一方の側壁面の露出フックを大きく突出させ組み合わせてなる他のブロックの露出フックと３段重ねリンク孔を構成させるてここに両端部を９０°かそれ以上に逆方向に折り曲げた重合螺旋連結金具８を縦に回転させながら挿入施工し、施工が終わったらこの貫通開口部１１に現地土又は植栽土９を入れ草花１０を繁茂出来る様に構築してなる３結の空積み環境ブロックの連結方法とする。
【００２３】
つぎに、請求項２を図２、図３、図４、図５で説明すると長方形ブロックの本体１の延長方向両側面の１／４とブロックの両端４箇所に他のブロックと組み合わせてなる貫通開口部１１を構築出来るブロックとし、ここより平面Ｕ字状にフック鉄筋３−３を露出させ施工時ここに両端部を９０°かそれ以上に逆方向に折り曲げた重合螺旋金具８を縦に回転させながら挿入施工し、施工が終わったらこの貫通開口部１１に現地土又は植栽土９を入れ草花１０を繁茂出来る様に構築してなる空積み環境ブロック２結の連結方法とするものである。
【００２４】
【発明の作用・効果】
▲１▼  この発明では、２結（３結も含め）製品ばかりでなく４結製品もフックが平面Ｕ字状に露出しているので、この製品の製造脱型時、小運搬、施工時も吊りフックとして使用出来るばかりか、製品施工組み合わせ時にフック鉄筋を一方は平面Ｕ字状右に寄せて対設フック鉄筋は平面Ｕ字状左に寄せた構成と成っているので施工時隣接２個の重なりフックと成り、最も安価な重合螺旋連結金具を使用できる。
【００２５】
▲２▼  ４結でありながら、平面的フックをずらして重なり合わせる（平面８の字状のリンク孔構築）ことは、重合螺旋金具を縦に回転挿入出来作業が容易である。
【００２６】
▲３▼  重合螺旋連結金具の両端部を９０°かそれ以上逆方向に折り曲げている事により、空積み引っ張り外圧応力に対して強靱であり、空積みで強靱である事は、練り積みでもその効果が大きい。
【００２７】
▲４▼  各ブロックよりの露出Ｕ字状フックが平面的である事は重合螺旋連結金具を中心に樹木の繁茂が有ったとしても根切れ現象が起こり樹木が大木となってのブロックの根上現象は起こらないものである。
【図面の簡単な説明】
【図１】この出願発明の４結製品と連結方法を示す施工概要平面図と平面Ｕ字フックの露出方法を示す概要平面図と要部拡大図。
【図２】２結の概要を示す施工平面図と連結金具の平面図。
【図３】２結の要部断面図と連結金具の側面図。
【図４】２結実施例製品の施工概要平面図。
【図５】図４の要部断面概要図と連結金具の平面図と側面図。
【符号の説明】
Ａ、Ａは対角線
１  ブロック本体
２  切欠部（組み合わせて貫通開孔部）
３−１  平面Ｕ字状右に寄せたフック
３−２  平面Ｕ字状左に寄せたフック
３−３  平面Ｕ字状２結フック
４  空積み隙間
５  環境ブロックとしての凹凸化粧面
６  平面８の字状のリンク孔
７  ９０°かそれ以上に逆方向への折り曲げ部
８  重合螺旋連結金具
９  現地土又は植栽土
１０  草花
１１  貫通開口部
【図１】
2004169499.tif 000003
【図２】
2004169499.tif 000004
【図３】
2004169499.tif 000005
【図４】
2004169499.tif 000006
【図５】
2004169499.tif 000007